(57)【要約】【課題】  ねじ山形状を直角三角形から不等辺三角形に変更することでまくら木にまくら木用ねじくぎをねじ込む際のまくら木の繊維の損傷を低減することができるまくら木用ねじくぎの構造を提供する。【解決手段】  まくら木用ねじくぎの構造において、ねじ山形状を直角三角形から不等辺三角形に変更することでまくら木にまくら木用ねじくぎをねじ込む際のまくら木の繊維の損傷を低減することができるようにした。  また、まくら木用ねじくぎの締付・緩め作業に対する１本あたりの作業時間を短縮化して、予定された作業時間での作業を終了することができるまくら木用ねじくぎの構造を提供する。【選択図】  図１
2019027074.tif 000002
【特許請求の範囲】
【請求項１】
まくら木用ねじくぎの構造において、ねじ山形状を直角三角形から不等辺三角形に変更することでまくら木にまくら木用ねじくぎをねじ込む際のまくら木の繊維の損傷を低減することができるようにしたことを特徴とするまくら木用ねじくぎの構造。
【請求項２】
請求項１記載のまくら木用ねじくぎの構造において、外周面に一条ねじが形成され、前記一条ねじのピッチが約１０ｍｍであることを特徴とするまくら木用ねじくぎの構造。
【請求項３】
請求項１記載のまくら木用ねじくぎの構造において、外周面に二条ねじが形成され、まくら木に対する締付と緩め作業の短縮化を図るようにしたことを特徴とするまくら木用ねじくぎの構造。
【請求項４】
請求項３記載のまくら木用ねじくぎの構造において、前記二条ねじ間のピッチが約１０ｍｍであることを特徴とするまくら木用ねじくぎの構造。
【発明の詳細な説明】
【技術分野】
【０００１】
本発明は、まくら木用ねじくぎの構造に係り、特に、まくら木繊維の損傷を低減できるまくら木用ねじくぎの構造に関するものである。
【背景技術】
【０００２】
図３は従来のＢタイプ（一条ねじ）を有するまくら木用ねじくぎの構造を示す図であり、図３（ａ）はそのＢタイプ（一条ねじ）のまくら木用ねじくぎの上面図、図３（ｂ）はそのＢタイプ（一条ねじ）のまくら木用ねじくぎの側面図、図３（ｃ）はそのＢタイプ（一条ねじ）のまくら木用ねじくぎのねじ部の拡大図である。
【０００３】
これらの図において、１０１はまくら木用ねじくぎ、１０２はインパクトレンチ（図示なし）が嵌まるまくら木用ねじくぎの頭部、１０３はそのまくら木用ねじくぎの鍔部、１０４はまくら木用ねじくぎのＢタイプのねじ部である。
近年、まくら木繊維の損傷を低減できるまくら木用ねじくぎの構造が求められるようになっている。例えば、分岐部に敷設されるまくら木用ねじくぎには、大きな振動が加わるため、まくら木繊維が損傷し、まくら木用ねじくぎが抜けるといった問題があった。
【０００４】
また、合成まくらぎ木製まくら木の改修や取替えを伴うまくら木用ねじくぎの締付・緩め作業は迅速に行うことが求められるようになってきていいる。
【先行技術文献】
【非特許文献】
【０００５】
【非特許文献１】帝国製鋲株式会社  カタログ  第７頁、ｈｔｔｐ：／／ｗｗｗ．ｔｅｉｋｏｋｕ−ｓｅｉｂｙｏ．ｃｏｍ
【発明の概要】
【発明が解決しようとする課題】
【０００６】
しかしながら、現状ではまくら木用ねじくぎをまくら木にねじ込む際、ねじ山がまくら木の繊維を切断しながらまくら木に進入することで、まくら木と軌道部品を締結させるようにしている。
また、現状ではＢタイプ（一条ねじ）が用いられており、かかる一条ねじのまくら木用ねじくぎの締付・緩め作業には１本あたりの所要作業時間を要することになり、締結用ボルトの本数が多くなるに伴って、その作業に長時間を要することになり、予定された作業時間内での作業を終了することが困難になるといった問題があった。
【０００７】
本発明は、上記状況に鑑みて、まくら木にまくら木用ねじくぎをねじ込む際のまくら木の繊維の損傷を低減することができるまくら木用ねじくぎの構造を提供する。また、まくら木用ねじくぎの締付・緩め作業に対する１本あたりの作業時間を短縮化することができる、まくら木用ねじくぎの構造を提供することを目的とする。
【課題を解決するための手段】
【０００８】
本発明は、上記目的を達成するために、
〔１〕まくら木用ねじくぎの構造において、ねじ山形状を直角三角形から不等辺三角形に変更することで、まくら木にまくら木用ねじくぎをねじ込む際のまくら木の繊維の損傷を低減することができるようにしたことを特徴とする。
【０００９】
〔２〕上記〔１〕記載のまくら木用ねじくぎの構造において、外周面に一条ねじが形成され、前記一条ねじのピッチが約１０ｍｍであることを特徴とする。
【００１０】
〔３〕上記〔１〕記載のまくら木用ねじくぎの構造において、外周面に二条ねじが形成され、まくら木に対する締付と緩め作業の短縮化を図るようにしたことを特徴とする。
【００１１】
〔４〕上記〔３〕記載のまくら木用ねじくぎの構造において、前記二条ねじ間のピッチが約１０ｍｍであることを特徴とする。
【発明の効果】
【００１２】
本発明によれば、ねじ山形状を直角三角形から不等辺三角形に変更することでまくら木にまくら木用ねじくぎをねじ込む際のまくら木の繊維の損傷を低減すことができる。
【００１３】
また、外周面に二条ねじが形成される場合にはまくら木に対する締付と緩め作業を短縮化して、予定された作業時間内での作業を終了することができる。
【図面の簡単な説明】
【００１４】
【図１】本発明の実施例を示すまくら木用新型一条ねじくぎの構造を示す図である。
【図２】本発明の他の実施例を示すまくら木用新型二条ねじくぎの構造を示す図である。
【図３】従来のＢタイプ（一条ねじ）を有するまくら木用ねじくぎの構造を示す図である。
【発明を実施するための形態】
【００１５】
本発明のまくら木用ねじくぎの構造は、ねじ山形状を直角三角形から不等辺三角形に変更することで、まくら木にまくら木用ねじくぎをねじ込む際のまくら木の繊維の損傷を低減すことができるようにした。
【実施例】
【００１６】
以下、本発明の実施の形態について詳細に説明する。
【００１７】
図１は本発明の実施例を示すまくら木用新型一条ねじくぎの構造を示す図であり、図１（ａ）はまくら木用新型一条ねじくぎの上面図、図１（ｂ）はその一条ねじを有するまくら木用ねじくぎの側面図、図１（ｃ）はその一条ねじを有するまくら木用ねじくぎのねじ部の拡大図である。
【００１８】
図１（ａ）〜図１（ｃ）において、１はまくら木用ねじくぎ、２はインパクトレンチ（図示なし）が嵌まるまくら木用ねじくぎの頭部、３はそのまくら木用ねじくぎの鍔部、４はそのまくら木用ねじくぎの一条ねじ部である。
【００１９】
この実施例におけるねじくぎの特徴としては、
１．ねじ山のピッチＰ＝１０によるリ−ド角の変更
２．ねじ山形状を直角三角形から不等辺三角形にすることによるまくら木の損傷軽減
３．リ−ド角が従来品より緩やかなことによるまくら木の損傷軽減、が挙げられる。
【００２０】
このように、この実施例では、まくら木用ねじくぎの構造において、ねじ山形状を直角三角形から不等辺三角形に変更することでまくら木にまくら木用ねじくぎをねじ込む際のまくら木の繊維の損傷を低減することができるようにした。
【００２１】
また、図３に示す従来のＢタイプ（一条ねじ）では、一条ねじ間の距離は例えば１２±０．４ｍｍであるのに対して、本発明の図１（ｃ）に示される一条ねじ間の距離は例えば約１０ｍｍとしており、リ−ド角を従来品より緩やかにすることでまくらぎの繊維の損傷を低減することができるようにした。
【００２２】
図２は本発明の他の実施例を示すまくら木用新型二条ねじくぎの構造を示す図であり、図２（ａ）はまくら木用新型二条ねじくぎの上面図、図２（ｂ）はその二条ねじを有するまくら木用ねじくぎの側面図、図２（ｃ）はその二条ねじを有するまくら木用ねじくぎのねじ部の拡大図、図２（ｄ）はその二条ねじを有するまくら木用ねじくぎの上面方向から見たねじ部の拡大図である。
図２（ａ）〜図２（ｄ）において、１１はまくら木用二条ねじくぎ、１２はインパクトレンチ（図示なし）が嵌まるまくら木用二条ねじくぎの頭部、１３はそのまくら木用二条ねじくぎの鍔部、１４はそのまくら木用ねじくぎの二条ねじ部である。
【００２３】
このように、この実施例では、一条ねじくぎを二条ねじくぎに改良した。
このねじくぎの特徴としては、
１．ねじ山のピッチＰ＝１０によるリ−ド角の変更
２．ねじ山形状を直角三角形から不等辺三角形にすることによるまくら木の損傷軽減
３．リ−ド角が従来品より緩やかなことによるまくら木の損傷軽減
４．二条ねじにより一回転で進む距離が１．６倍、が挙げられる。
【００２４】
このように、この実施例では、まくら木用ねじくぎの構造において、第１実施例の特徴に加えて、さらに二条ねじくぎ構造を採用したので、まくら木への損傷を軽減できるとともに、一回転で進む距離が１．６倍となり、まくら木用ねじくぎの締付・緩め作業に対する１本あたりの作業時間を短縮することができるようにした。
【００２５】
なお、本発明は上記実施例に限定されるものではなく、本発明の趣旨に基づき種々の変形が可能であり、これらを本発明の範囲から排除するものではない。
【産業上の利用可能性】
【００２６】
本発明のまくら木用ねじくぎの構造は、ねじ山形状を直角三角形から不等辺三角形に変更することでまくら木にまくら木用ねじくぎをねじ込む際のまくら木の繊維の損傷を低減することができるようにした。
【００２７】
また、まくら木用ねじくぎはまくら木用新型二条ねじくぎとして、まくら木用ねじくぎの締付・緩め作業に対する１本あたりの作業時間を短縮化して、予定された作業時間での作業を終了することができる。
【符号の説明】
【００２８】
１    まくら木用ねじくぎ
２    まくら木用ねじくぎの頭部
３    まくら木用ねじくぎの鍔部
４    まくら木用ねじくぎの一条ねじ部
１１  まくら木用二条ねじくぎ
１２  まくら木用二条ねじくぎの頭部
１３  そのまくら木用二条ねじくぎの鍔部
１４  まくら木用ねじくぎの二条ねじ部
【図１】
2019027074.tif 000003
【図２】
2019027074.tif 000004
【図３】
2019027074.tif 000005